【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
第一の光電変換部と、
第一の画素メモリと、
前記第一の光電変換部から前記第一の画素メモリへ電荷転送を行う第一の転送部と、
第二の光電変換部と、
第二の画素メモリと、
前記第二の光電変換部から前記第二の画素メモリへ電荷転送を行う第二の転送部と、
入射光を前記第一の光電変換部及び前記第二の光電変換部に集光するためのマイクロレンズであって、当該マイクロレンズの光軸方向から見たときに前記第一の光電変換部および前記第二の光電変換部と重なるマイクロレンズと、
前記第一の画素メモリと前記第二の画素メモリの間の電気的な接続状態を変更可能なスイッチと、をそれぞれ有する複数の画素を備え、
前記第一の光電変換部の露光時間が、前記第二の光電変換部の露光時間よりも長いことを特徴とする、撮像装置。
【請求項２】
前記第一の光電変換部の感度が、前記第二の光電変換部の感度よりも低いことを特徴とする、請求項１に記載の撮像装置。
【請求項３】
前記複数の画素のそれぞれが、前記マイクロレンズを備え、
前記複数の画素を有する画素領域における中心領域に配置された画素において、前記マイクロレンズの光軸が、前記第一の光電変換部及び前記第二の光電変換部のうち、前記第二の光電変換部の方に寄っていることを特徴とする、請求項１又は２に記載の撮像装置。
【請求項４】
前記複数の画素のそれぞれが、入射光を前記第一の光電変換部及び前記第二の光電変換部に集光するための導波路を備え、
前記複数の画素を有する画素領域における中心領域に配置された画素において、前記導波路のコアの射出端の中心が、前記第一の光電変換部及び前記第二の光電変換部のうち、前記第二の光電変換部の方に寄っていることを特徴とする、請求項１又は２に記載の撮像装置。
【請求項５】
前記複数の画素のそれぞれが、
前記第一の画素メモリに接続され、前記第一の画素メモリに蓄積された電荷をリセットする第一のリセット部と、
前記第二の画素メモリに接続され、前記第二の画素メモリに蓄積された電荷をリセットする第二のリセット部のうち、
何れか一方のみを備えていることを特徴とする、請求項１乃至４の何れか１項に記載の撮像装置。
【請求項６】
前記複数の画素における、前記第一の光電変換部及び前記第二の光電変換部において取得された画素信号を読み出すための走査回路を有し、
前記スイッチは、前記走査回路からの信号によって前記接続状態を変更可能であることを特徴とする、請求項１乃至５の何れか１項に記載の撮像装置。
【請求項７】
前記第一の光電変換部に蓄積された電荷に基づく第一の画素信号を取得する際に、
前記第一の光電変換部から前記第一の画素メモリに電荷転送を行い、前記第一の画素メモリに蓄積された電荷量を電圧信号に変換して読み出した後、
前記スイッチを制御して、前記第一の画素メモリと前記第二の画素メモリを電気的に接続したまま、前記第一の画素メモリ及び前記第二の画素メモリに保持された電荷量を電圧信号に変換して読み出すことを特徴とする、請求項１乃至６の何れか１項に記載の撮像装置。
【請求項８】
前記第二の光電変換部に蓄積された電荷に基づく第二の画素信号を取得する際に、
前記第二の光電変換部から前記第二の画素メモリに電荷転送を行い、前記第二の画素メモリに蓄積された電荷量を電圧信号に変換して読み出した後、
前記スイッチを制御して、前記第一の画素メモリと前記第二の画素メモリを電気的に接続したまま、前記第一の画素メモリ及び前記第二の画素メモリに保持された電荷量を電圧信号に変換して読み出すことを特徴とする、請求項１乃至７の何れか１項に記載の撮像装置。
【請求項９】
前記第一の画素メモリの領域に注入された不純物濃度が、前記第二の画素メモリの領域に注入された不純物濃度の半分以上であり、かつ２倍以下であることを特徴とする、請求項７又は８に記載の撮像装置。
【請求項１０】
前記第二の光電変換部に蓄積された電荷に基づく第二の画素信号を取得する際に、
前記第二の光電変換部から前記第二の画素メモリに電荷転送を行った後、
前記スイッチを制御し、前記第二の画素メモリから前記第一の画素メモリに電荷転送を行い、前記第一の画素メモリに保持された電荷量を電圧信号に変換して読み出すことを特徴とする、請求項１乃至６の何れか１項に記載の撮像装置。
【請求項１１】
前記第二の画素信号を取得する際に、前記第二の画素メモリに電荷を保持する時間の長さを、前記複数の画素を有する画素領域において、行毎に異ならせることを特徴とする、請求項１０に記載の撮像装置。
【請求項１２】
異なる行に位置する画素において、前記第二の光電変換部の露光開始時刻と露光終了時刻が同時であることを特徴とする、請求項１１に記載の撮像装置。
【請求項１３】
前記複数の画素のそれぞれが、画素メモリに保持された電荷量を電圧信号に変換するための変換部を一つだけ備えており、前記変換部は、前記第一の画素メモリに接続されていることを特徴とする、請求項１０乃至１２の何れか１項に記載の撮像装置。
【請求項１４】
前記複数の画素のうちの一部の、第一の画素においては、
前記第一の光電変換部に蓄積された電荷に基づく第一の画素信号を取得する際に、
前記第一の光電変換部から前記第一の画素メモリに電荷転送を行った後、
前記スイッチを制御し、前記第一の画素メモリから前記第二の画素メモリに電荷転送を行い、前記第二の画素メモリに保持された電荷量を電圧信号に変換して読み出す一方、
前記複数の画素のうちの、前記第一の画素ではない第二の画素においては、
第一の画素信号を取得する際に、
前記第一の光電変換部から前記第一の画素メモリに電荷転送を行った後、
前記第一の画素メモリに保持された電荷量を電圧信号に変換して読み出すことを特徴とする、請求項１乃至６の何れか１項に記載の撮像装置。
【請求項１５】
前記複数の画素を制御する制御部を備え、
前記制御部は、前記第一の光電変換部の露光時間が前記第二の光電変換部の露光時間よりも長くなるように、前記複数の画素を制御することを特徴とする請求項１乃至１４の何れか１項に記載の撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００５
【補正方法】変更
【補正の内容】
【０００５】
本発明は、動画像と静止画像を同時に取得可能な撮像装置を更に高機能化することを課題とする。
【手続補正４】
【補正対象書類名】明細書
【補正対象項目名】０００６
【補正方法】変更
【補正の内容】
【０００６】
本発明の第一の態様は撮像装置であり、第一の光電変換部と、第一の画素メモリと、前記第一の光電変換部から前記第一の画素メモリへ電荷転送を行う第一の転送部と、第二の光電変換部と、第二の画素メモリと、前記第二の光電変換部から前記第二の画素メモリへ電荷転送を行う第二の転送部と、入射光を前記第一の光電変換部及び前記第二の光電変換部に集光するためのマイクロレンズであって、当該マイクロレンズの光軸方向から見たときに前記第一の光電変換部および前記第二の光電変換部と重なるマイクロレンズと、前記第一の画素メモリと前記第二の画素メモリの間の電気的な接続状態を変更可能なスイッチと、をそれぞれ有する複数の画素を備え、前記第一の光電変換部の露光時間が、前記第二の光電変換部の露光時間よりも長いことを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、動画像と静止画像を同時に取得可能な従来の撮像装置を更に高機能化することができる。